(57)【要約】【課題】多くの時間及び労力を要することなく、巻線温度と鉄心温度とをそれぞれ独立に制御して所定の温度に制御すること。【解決手段】鉄心特性評価用モータ１は、固定子鉄心３の中心軸に対して平行な固定子鉄心３の外周面に取り付けられたペルチェ素子１１ａを備え、制御装置１２が、温度センサ１０から入力された固定子鉄心３の温度計測値に基づいて、固定子鉄心３の温度が目標温度になるように巻線３ｃ及びペルチェ素子１１ａへの通電量を制御する。これにより、多くの時間及び労力を要することなく、巻線３ｃ及び固定子鉄心３の温度をそれぞれ独立に制御して所定の温度に制御することができる。【選択図】図１
2014192990.tif 000002
【特許請求の範囲】
【請求項１】
評価対象の固定子鉄心と、前記固定子鉄心に巻回された、通電に伴い前記固定子鉄心を励磁駆動する巻線と、を備え、入力電力を計測しながら前記巻線に通電することによって前記固定子鉄心の鉄損を評価するための鉄心特性評価用モータであって、
前記固定子鉄心に取り付けられたペルチェ素子を備え、前記固定子鉄心の温度が前記巻線への通電量と前記ペルチェ素子とを用いて制御されることを特徴とする鉄心特性評価用モータ。
【請求項２】
評価対象の固定子鉄心と、前記固定子鉄心に巻回された、通電に伴い前記固定子鉄心を励磁駆動する巻線と、を備え、入力電力を計測しながら前記巻線に通電することによって前記固定子鉄心の鉄損を評価するための鉄心特性評価用モータであって、
前記固定子鉄心を収容すると共に前記固定子鉄心に接触するハウジングに取り付けられたペルチェ素子を備え、前記固定子鉄心の温度が前記巻線への通電量と前記ペルチェ素子とを用いて制御されることを特徴とする鉄心特性評価用モータ。
【請求項３】
評価対象の固定子鉄心と、前記固定子鉄心に巻回された、通電に伴い前記固定子鉄心を励磁駆動する巻線と、を備え、負荷及びトルク検出器に接続され、入力電力とトルク出力とを計測することによってモータ効率を評価するための鉄心特性評価用モータであって、
前記固定子鉄心に取り付けられたペルチェ素子を備え、前記固定子鉄心の温度が前記巻線への通電量と前記ペルチェ素子とを用いて制御されることを特徴とする鉄心特性評価用モータ。
【請求項４】
評価対象の固定子鉄心と、前記固定子鉄心に巻回された、通電に伴い前記固定子鉄心を励磁駆動する巻線と、を備え、負荷及びトルク検出器に接続され、入力電力とトルク出力とを計測することによってモータ効率を評価するための鉄心特性評価用モータであって、
前記固定子鉄心を収容すると共に前記固定子鉄心に接触するハウジングに取り付けられたペルチェ素子を備え、前記固定子鉄心の温度が前記巻線への通電量と前記ペルチェ素子とを用いて制御されることを特徴とする鉄心特性評価用モータ。
【請求項５】
評価対象の固定子鉄心と、前記固定子鉄心に巻回された、通電に伴い前記固定子鉄心を励磁駆動する巻線と、磁場を有する回転子と、を備え、外部駆動用モータ及びトルク検出器に接続され、外部駆動用モータを利用して前記回転子を回転させ、前記回転子の回転に伴い前記回転子と前記固定子鉄心との間に発生するロストルクを評価するための鉄心評価用モータであって、
前記固定子鉄心に取り付けられたペルチェ素子を備え、前記固定子鉄心の温度が前記巻線への通電量と前記ペルチェ素子とを用いて制御されることを特徴とする鉄心特性評価用モータ。
【請求項６】
被評価用の固定子鉄心と、前記固定子鉄心に巻回された、通電に伴い前記固定子鉄心を励磁駆動する巻線と、磁場を有する回転子と、を備え、外部駆動用モータ及びトルク検出器に接続され、外部駆動用モータを利用して前記回転子を回転させ、前記回転子の回転に伴い前記回転子と前記固定子鉄心との間に発生するロストルクを評価するための鉄心評価用モータであって、
前記固定子鉄心を収容すると共に前記固定子鉄心に接触するハウジングに取り付けられたペルチェ素子を備え、前記固定子鉄心の温度が前記巻線への通電量と前記ペルチェ素子とを用いて制御されることを特徴とする鉄心特性評価用モータ。
【発明の詳細な説明】
【技術分野】
【０００１】
本発明は、電磁鋼板等の磁性材料のモータ鉄心としての特性を評価するための鉄心特性評価用モータに関する。
【背景技術】
【０００２】
一般に、モータ鉄心は、電磁鋼板等の磁性材料によって形成されている。このため、磁性材料の特性がモータ特性に及ぼす影響を評価するために、特性が異なる磁性材料を鉄心とした種々のモデルモータを作製し、各モデルモータのモータ効率やトルク定数等のモータ特性を評価することが行なわれている。モータ特性を正確に評価するためには、鉄心に巻回された巻線の温度及び鉄心の温度を制御することによって所定の温度の下でモータ特性を評価する必要がある。
【０００３】
巻線温度は、巻線自らの発熱（銅損）によって上昇する。銅損の大きさは、巻線に流れる電流値と温度に応じて変化する巻線の抵抗とによって決まる。このため、巻線温度は巻線への通電量によって制御され、巻線への通電量はモータに接続する負荷の大きさにより調節される。一方、鉄心温度は、巻線の熱の伝達と鉄心自らの発熱（鉄損）とによって上昇する。但し、通常、鉄損の影響よりも巻線の熱の影響が大きいため、鉄心温度は、巻線温度と共に巻線への通電量によって制御されている。
【０００４】
以上のように、モータ特性を評価する際には、巻線への通電量を制御することによって巻線及び鉄心の温度を所定の温度に制御するようにしている。具体的には、モータ特性の評価方法として、巻線温度の上昇が飽和し、巻線温度が所定値で一定となってから評価用データを採取する方法（非特許文献１，２参照）や温度の上昇過程で巻線又は鉄心の温度が所定の温度になった時点で評価用データを採取する方法が知られている。
【先行技術文献】
【非特許文献】
【０００５】
【非特許文献１】JIS規格番号：JISC4212「高効率低圧三相かご形誘導電動機」
【非特許文献２】JIS規格番号：JISC4034-2-1「回転電気機械−第２−１部：単一速度三相かご形誘導電動機の損失及び効率の算定方法」
【発明の概要】
【発明が解決しようとする課題】
【０００６】
しかしながら、従来のモータ特性の評価方法は、評価用データを採取してから次の評価用データを採取するまでの間、モータに接続された負荷を解除することによって巻線温度を下げ、巻線温度が下降した後に再び負荷をかけて巻線温度を所定の温度に上昇させる必要がある。このため、従来のモータ特性の評価方法によれば、評価用データの採取が完了するまでに多くの時間及び労力を要する。さらに、従来のモータ特性の評価方法によれば、巻線温度と鉄心温度とをそれぞれ独立に制御することができないため、巻線温度と鉄心温度とをそれぞれ個別に所定の温度に制御することが困難である。
【０００７】
本発明は、上記に鑑みてなされたものであって、その目的は、多くの時間及び労力を要することなく、巻線温度と鉄心温度とをそれぞれ独立に制御して所定の温度に制御可能な鉄心特性評価用モータを提供することにある。
【課題を解決するための手段】
【０００８】
本発明の第１の態様に係る鉄心特性評価用モータは、評価対象の固定子鉄心と、前記固定子鉄心に巻回された、通電に伴い前記固定子鉄心を励磁駆動する巻線と、を備え、入力電力を計測しながら前記巻線に通電することによって前記固定子鉄心の鉄損を評価するための鉄心特性評価用モータであって、前記固定子鉄心に取り付けられたペルチェ素子を備え、前記固定子鉄心の温度が前記巻線への通電量と前記ペルチェ素子とを用いて制御されることを特徴とする。
【０００９】
本発明の第２の態様に係る鉄心特性評価用モータは、評価対象の固定子鉄心と、前記固定子鉄心に巻回された、通電に伴い前記固定子鉄心を励磁駆動する巻線と、を備え、入力電力を計測しながら前記巻線に通電することによって前記固定子鉄心の鉄損を評価するための鉄心特性評価用モータであって、前記固定子鉄心を収容すると共に前記固定子鉄心に接触するハウジングに取り付けられたペルチェ素子を備え、前記固定子鉄心の温度が前記巻線への通電量と前記ペルチェ素子とを用いて制御されることを特徴とする。
【００１０】
本発明の第３の態様に係る鉄心特性評価用モータは、評価対象の固定子鉄心と、前記固定子鉄心に巻回された、通電に伴い前記固定子鉄心を励磁駆動する巻線と、を備え、負荷及びトルク検出器に接続され、入力電力とトルク出力とを計測することによってモータ効率を評価するための鉄心特性評価用モータであって、前記固定子鉄心に取り付けられたペルチェ素子を備え、前記固定子鉄心の温度が前記巻線への通電量と前記ペルチェ素子とを用いて制御されることを特徴とする。
【００１１】
本発明の第４の態様に係る鉄心特性評価用モータは、評価対象の固定子鉄心と、前記固定子鉄心に巻回された、通電に伴い前記固定子鉄心を励磁駆動する巻線と、を備え、負荷及びトルク検出器に接続され、入力電力とトルク出力とを計測することによってモータ効率を評価するための鉄心特性評価用モータであって、前記固定子鉄心を収容すると共に前記固定子鉄心に接触するハウジングに取り付けられたペルチェ素子を備え、前記固定子鉄心の温度が前記巻線への通電量と前記ペルチェ素子とを用いて制御されることを特徴とする。
【００１２】
本発明の第５の態様に係る鉄心特性評価用モータは、評価対象の固定子鉄心と、前記固定子鉄心に巻回された、通電に伴い前記固定子鉄心を励磁駆動する巻線と、磁場を有する回転子と、を備え、外部駆動用モータ及びトルク検出器に接続され、外部駆動用モータを利用して前記回転子を回転させ、前記回転子の回転に伴い前記回転子と前記固定子鉄心との間に発生するロストルクを評価するための鉄心評価用モータであって、前記固定子鉄心に取り付けられたペルチェ素子を備え、前記固定子鉄心の温度が前記巻線への通電量と前記ペルチェ素子とを用いて制御されることを特徴とする。
【００１３】
本発明の第６の態様に係る鉄心特性評価用モータは、被評価用の固定子鉄心と、前記固定子鉄心に巻回された、通電に伴い前記固定子鉄心を励磁駆動する巻線と、磁場を有する回転子と、を備え、外部駆動用モータ及びトルク検出器に接続され、外部駆動用モータを利用して前記回転子を回転させ、前記回転子の回転に伴い前記回転子と前記固定子鉄心との間に発生するロストルクを評価するための鉄心評価用モータであって、前記固定子鉄心を収容すると共に前記固定子鉄心に接触するハウジングに取り付けられたペルチェ素子を備え、前記固定子鉄心の温度が前記巻線への通電量と前記ペルチェ素子とを用いて制御されることを特徴とする。
【発明の効果】
【００１４】
本発明に係る鉄心特性評価用モータによれば、多くの時間及び労力を要することなく、巻線温度と鉄心温度とをそれぞれ独立に制御して所定の温度に制御することができる。
【図面の簡単な説明】
【００１５】
【図１】図１は、本発明の一実施形態である鉄心特性評価用モータの構成を示す模式図である。
【図２】図２は、図１に示す鉄心特性評価用モータの第１の変形例を示す図である。
【図３】図３は、図１に示す鉄心特性評価用モータの第２の変形例を示す図である。
【図４】図４は、図１に示す鉄心特性評価用モータの第３の変形例を示す図である。
【図５】図５は、図１に示す鉄心特性評価用モータの第４の変形例を示す図である。
【図６】図６は、図５に示す鉄心特性評価用モータの第１の変形例を示す図である。
【図７】図７は、図５に示す鉄心特性評価用モータの第２の変形例を示す図である。
【図８】図８は、図２に示す鉄心特性評価用モータの第１の変形例を示す図である。
【図９】図９は、図４に示す鉄心特性評価用モータの第１の変形例を示す図である。
【図１０】図１０は、図４に示す鉄心特性評価用モータの第２の変形例を示す図である。
【図１１】図１１は、図１に示す鉄心特性評価用モータを利用して固定子鉄心の温度が目標温度で一定となってから評価用データを異なる２条件で繰り返し採取した際の固定子鉄心の温度の推移を示す図である。
【図１２】図１２は、図５に示す鉄心特性評価用モータを利用して固定子鉄心の温度が目標温度で一定となってから評価用データを異なる２条件で繰り返し採取した際の固定子鉄心の温度の推移を示す図である。
【図１３】図１３は、巻線への通電量を制御する従来の温度制御方式により巻線温度の上昇が飽和して所定温度で一定となってから評価用データを異なる２条件で繰り返し採取した際の固定子鉄心の温度の推移を示す図である。
【図１４】図１４は、巻線への通電量を制御する従来の温度制御方式により温度の上昇過程において鉄心温度が目標温度に到達した時点で評価用データを異なる２条件で繰り返し採取した際の固定子鉄心の温度の推移を示す図である。
【図１５】図１５は、図８に示す鉄心特性評価用モータを利用して鉄心温度が目標温度で一定となってから評価用データを異なる２条件で繰り返し採取した際の鉄心温度の推移を示す図である。
【図１６】図１６は、図９に示す鉄心特性評価用モータを利用して鉄心温度が目標温度で一定となってから評価用データを異なる２条件で繰り返し採取した際の鉄心温度の推移を示す図である。
【発明を実施するための形態】
【００１６】
本発明の発明者らは、巻線温度と鉄心温度とをそれぞれ独立に制御可能にするために、ヒータ方式、温水循環方式、温風方式、及び制御素子を用いる方式のいずれかを利用して巻線温度と鉄心温度とを調整することを検討した。ヒータ方式は、巻線とは別に鉄心又はハウジングにヒータを取り付け、鉄心を加熱昇温する方式である。しかしながら、ヒータ方式では、鉄心温度は昇温時にのみ制御可能であり、降温時には鉄心温度を制御することができない。
【００１７】
一方、温水循環方式は、ハウジングに配管を取り付け、配管に温水を通水することによって鉄心温度を制御する方式である。しかしながら、温水循環方式には、巻線への通電量を制御することによる鉄心温度の変化と比較して鉄心温度の反応が鈍いという問題がある。また、温風方式は、温風を鉄心又はハウジングに当てることによって鉄心温度を制御する方式である。しかしながら、温風方式には、対流によって鉄心内に温度分布が生じやすいという問題がある。
【００１８】
そこで、本発明の発明者らは、上記の方式と比較して、加熱及び冷却が可能であり、鉄心の箇所毎の温度のばらつきも低く抑えることができる方式として、制御素子を用いる方式を検討し、ペルチェ素子を鉄心又はそれに接するハウジングに取り付ける方式を想到した。ペルチェ素子は加熱及び冷却が共に可能であるために、鉄心温度を所定の温度に制御し、安定化させる上で最適である。
【００１９】
なお、ペルチェ素子を用いて温度制御を行う技術は、例えば特開２０１１−６９５８５号公報、特開２０１１−１２１５５１号公報、特開２０１２−９１５４７号公報、特開２０１１−２１８７号公報、特開２００５−２３７０６０号公報、特開２００１−２６３９０３号公報、特開平９−９４３０２号公報等に開示されているが、鉄心特性の評価を目的としてペルチェ素子を用いて温度制御を行うモータは開示、示唆されていない。
【００２０】
以下、上記の考えに基づき想到された本発明の一実施形態である鉄心特性評価用モータの構成について説明する。
【００２１】
図１は、本発明の一実施形態である鉄心特性評価用モータの構成を示す模式図である。図１に示すように、本発明の一実施形態である鉄心特性評価用モータ１は、インナーロータ型のモータによって構成され、円筒形状のハウジング２と、ハウジング２の内周部に収容された円筒形状の固定子鉄心３と、固定子鉄心３の内周部に固定子鉄心３の内周面に対して間隔をあけて配置された回転子４と、を備えている。
【００２２】
固定子鉄心３は、中心軸をハウジング２の中心軸に一致させ、ハウジング２の内周面に接触させた状態でハウジング２内に収容されている。固定子鉄心３は、周方向に沿って略等間隔に形成された複数のティース部３ａ及びスロット部３ｂを備えている。ティース部３ａには、固定子鉄心３の一方の軸方向端面側から隣接する２つのスロット部３ｂの一方に巻線３ｃを挿通した後、巻線３ｃを折り返して固定子鉄心３の他方の軸方向端面側から隣接する２つのスロット部３ｂの他方に巻線３ｃを挿通することによって、Ｕ相の励磁駆動用の巻線３ｃ１、Ｖ相の励磁駆動用の巻線３ｃ２、及びＷ相の励磁駆動用の巻線３ｃ３のうちのいずれかの巻線が巻回されている。
【００２３】
回転子４は、円筒形状の回転子鉄心４ａと、回転子鉄心４ａの内周部に挿通、支持された回転軸４ｂと、を備えている。回転子鉄心４ａは、中心軸を固定子鉄心３の中心軸に一致させて固定子鉄心３の内周部に着脱自在に配置されている。なお、モータのタイプによっては、回転子鉄心４ａに、永久磁石や導体等が取り付けられる場合もあるが、図中ではこれらを省略している。
【００２４】
鉄心特性評価用モータ１は、温度制御系として、温度センサ１０と、ペルチェユニット１１と、制御装置１２と、を備えている。温度センサ１０は、固定子鉄心３に取り付けられ、固定子鉄心３の温度を計測する。温度センサ１０は、固定子鉄心３の温度計測値を制御装置１２に入力する。ペルチェユニット１１は、固定子鉄心３の中心軸に対して平行な固定子鉄心３の外周面に取り付けられたペルチェ素子１１ａと、図示しないヒートシンクや冷却ファン等を備えている。ペルチェユニット１１は、制御装置１２からの制御信号に従ってペルチェ素子１１ａに通電することによって、固定子鉄心３の外周面を加熱又は冷却する。
【００２５】
制御装置１２は、マイクロコンピュータ等の演算処理装置によって構成されている。制御装置１２は、温度センサ１０から入力された固定子鉄心３の温度計測値に基づいて、固定子鉄心３の温度が所定の温度になるように巻線３ｃ及びペルチェ素子１１ａへの通電量を制御する。具体的には、制御装置１２は、巻線３ｃへの通電量を制御することによって固定子鉄心３の温度を目標温度の近傍の温度にまで制御した後に、ペルチェ素子１１ａへの通電量を制御することによって固定子鉄心３の温度を目標温度に制御する。
【００２６】
以上の説明から明らかなように、本発明の一実施形態である鉄心特性評価用モータ１は、固定子鉄心３の中心軸に対して平行な固定子鉄心３の外周面に取り付けられたペルチェ素子１１ａを備え、制御装置１２が、温度センサ１０から入力された固定子鉄心３の温度計測値に基づいて、固定子鉄心３の温度が目標温度になるように巻線３ｃ及びペルチェ素子１１ａへの通電量を制御する。これにより、多くの時間及び労力を要することなく、巻線３ｃ及び固定子鉄心３の温度をそれぞれ独立に制御して所定の温度に制御することができる。
【００２７】
なお、本実施形態では、鉄心特性評価用モータ１は、固定子鉄心の内周部に回転子が配置されたインナーロータ型のモータによって構成されていることとしたが、固定子鉄心の外周部に回転子が配置されたアウターロータ型のモータによって鉄心特性評価用モータ１を構成してもよい。また、鉄心特性評価用モータ１は、入力電力を計測しながら巻線に通電することによって固定子鉄心の鉄損を評価するための鉄心特性評価用モータ、負荷及びトルク検出器に接続され、入力電力とトルク出力とを計測することによってモータ効率を評価するための鉄心特性評価用モータ、及び外部駆動用モータ及びトルク検出器に接続され、外部駆動用モータを利用して回転子を回転させ、回転子の回転に伴い回転子と固定子鉄心との間に発生するロストルクを評価するための鉄心評価用モータのいずれであってもよい。
【００２８】
〔変形例１〕
図２は、図１に示す鉄心特性評価用モータの第１の変形例を示す図である。図１に示す鉄心特性評価用モータ１では、ペルチェ素子１１ａは、固定子鉄心３の中心軸に対して平行な固定子鉄心３の外周面に取り付けられていたが、図２に示すようにペルチェ素子１１ａを固定子鉄心３の中心軸に対して平行なハウジング２の外周面に取り付けるようにしてもよい。
【００２９】
〔変形例２〕
図３は、図１に示す鉄心特性評価用モータの第２の変形例を示す図である。図１に示す鉄心特性評価用モータ１では、ペルチェ素子１１ａは、固定子鉄心３の中心軸に対して平行な固定子鉄心３の外周面に取り付けられていたが、図３に示すようにペルチェ素子１１ａを固定子鉄心３の中心軸に対して垂直な固定子鉄心３の端面３ｄに取り付けるようにしてもよい。
【００３０】
〔変形例３〕
図４は、図１に示す鉄心特性評価用モータの第３の変形例を示す図である。図１に示す鉄心特性評価用モータ１では、ペルチェ素子１１ａは、固定子鉄心３の中心軸に対して平行な固定子鉄心３の外周面に取り付けられていたが、図４に示すようにペルチェ素子１１ａを固定子鉄心３の中心軸に対して垂直なハウジングの端面２ａに取り付けるようにしてもよい。
【００３１】
〔変形例４〕
図５は、図１に示す鉄心特性評価用モータの第４の変形例を示す図である。図１に示す鉄心特性評価用モータ１は、ペルチェ素子１１ａを１つ備えていたが、ペルチェ素子１１ａの個数は１つに限定されることはなく、図５に示すようにペルチェ素子１１ａを複数（本例では２つ）備えていてもよい。ペルチェ素子１１ａを複数設けることによって、固定子鉄心３の温度をより均一に制御することが可能になる。
【００３２】
〔変形例５〕
図６は、図５に示す鉄心特性評価用モータの第１の変形例を示す図である。図５に示す鉄心特性評価用モータ１では、ペルチェ素子１１ａは、固定子鉄心３の中心軸に対して平行な固定子鉄心３の外周面に取り付けられていたが、図６に示すようにペルチェ素子１１ａを固定子鉄心３の中心軸に対して垂直な固定子鉄心３の端面３ｄに取り付けるようにしてもよい。
【００３３】
〔変形例６〕
図７は、図５に示す鉄心特性評価用モータの第２の変形例を示す図である。図５に示す鉄心特性評価用モータ１では、ペルチェ素子１１ａは、固定子鉄心３の中心軸に対して平行な固定子鉄心３の外周面に取り付けられていたが、図７に示すようにペルチェ素子１１ａを固定子鉄心３の中心軸に対して垂直なハウジングの端面２ａに取り付けるようにしてもよい。
【００３４】
〔変形例７〕
図８は、図２に示す鉄心特性評価用モータの第１の変形例を示す図である。図２に示す鉄心特性評価用モータ１では、ペルチェ素子１１ａ及び巻線３ｃへの通電量を制御することによって固定子鉄心３の温度を制御することとしたが、図８に示すように、ハウジング２の外周面にラバーヒータ２０を設け、ペルチェ素子１１ａ、巻線３ｃ、及びラバーヒータ２０への通電量を制御することによって固定子鉄心３の温度を制御するようにしてもよい。
【００３５】
〔変形例８〕
図９は、図４に示す鉄心特性評価用モータの第１の変形例を示す図である。図４に示す鉄心特性評価用モータ１では、ペルチェ素子１１ａ及び巻線３ｃへの通電量を制御することによって固定子鉄心３の温度を制御することとしたが、図９に示すように、ハウジング２の外周面に温水循環用管３０を巻回し、温水循環用管３０の一方の端部３０ａ側から他方の端部３０ｂ側に向けて温水を通水することによって、ペルチェ素子１１ａ及び巻線３ｃへの通電量と温水の通水量とによって固定子鉄心３の温度を制御するようにしてもよい。
【００３６】
〔変形例９〕
図１０は、図４に示す鉄心特性評価用モータの第２の変形例を示す図である。図４に示す鉄心特性評価用モータ１では、ペルチェ素子１１ａ及び巻線３ｃへの通電量を制御することによって固定子鉄心３の温度を制御することとしたが、図１０に示すように、ハウジング２の軸方向の端面２ａ，２ｂにそれぞれ排気口４０ｂ及び給気口４０ａを設け、給気口４０ａ側から排気口４０ｂ側に向けて温風を供給することによって、ペルチェ素子１１ａ及び巻線３ｃへの通電量と温風の供給量とによって固定子鉄心３の温度を制御するようにしてもよい。
【００３７】
〔実施例１〕
図１１は、図１に示す鉄心特性評価用モータを利用して固定子鉄心の温度が目標温度ＴＭで一定となってから評価用データを異なる２条件で繰り返し採取した際の固定子鉄心の温度の推移を示す図である。図１２は、図５に示す鉄心特性評価用モータを利用して固定子鉄心の温度が目標温度ＴＭで一定となってから評価用データを異なる２条件で繰り返し採取した際の固定子鉄心の温度の推移を示す図である。
【００３８】
図１３は、巻線への通電量を制御する従来の温度制御方式により巻線温度の上昇が飽和して所定温度で一定となってから評価用データを異なる２条件で繰り返し採取した際の固定子鉄心の温度の推移を示す図である。図１４は、巻線への通電量を制御する従来の温度制御方式により温度の上昇過程において鉄心温度が目標温度ＴＭに到達した時点で評価用データを異なる２条件で繰り返し採取した際の固定子鉄心の温度の推移を示す図である。
【００３９】
図１３及び図１４に示すように、従来の温度制御方式を利用して異なる２条件で評価用データを繰り返し採取した場合、１回目の評価用データを採取した時間ｔ＝ｔ１から２回目の評価用データを採取する時間ｔ＝ｔ２までの間に負荷を解除して電流を下げる間に鉄心の温度が低下し、再び鉄心の温度を目標温度ＴＭに上げるために多くの時間を要した。これに対して、図１１及び図１２に示すように、本発明の温度制御方式を利用して異なる２条件で評価用データを繰り返し採取した場合には、負荷を解除して電流を下げる間であっても鉄心温度を目標温度ＴＭに保持できるために、次の条件での測定までに多くの時間を要しなかった。
【００４０】
〔実施例２〕
図１５，１６はそれぞれ、図８及び図９に示す鉄心特性評価用モータを利用して鉄心温度が目標温度ＴＭで一定となってから評価用データを異なる２条件で繰り返し採取した際の鉄心温度の推移を示す図である。図１５，１６に示すように、どちらの鉄心特性評価用モータでも鉄心温度が安定し、一度、負荷を解除して電流を下げる間（時間ｔ＝ｔ１〜ｔ２の間）に鉄心温度が一定に保たれるため、次の条件での測定（時間ｔ＝ｔ２）までに時間を要しないことが確認された。なお、図中の時間ｔ＝ｔ３は、ペルチェ素子の駆動をオフにした時間を示している。
【００４１】
以上、本発明者らによってなされた発明を適用した実施の形態について説明したが、本実施形態による本発明の開示の一部をなす記述及び図面により本発明は限定されることはない。すなわち、本実施形態に基づいて当業者等によりなされる他の実施の形態、実施例、及び運用技術等は全て本発明の範疇に含まれる。
【符号の説明】
【００４２】
１  鉄心特性評価用モータ
２  ハウジング
３  固定子鉄心
３ａ  ティース部
３ｂ  スロット部
３ｃ，３ｃ１，３ｃ２，３ｃ３  巻線
４  回転子
４ａ  回転子鉄心
４ｂ  回転軸
１０  温度センサ
１１  ペルチェユニット
１１ａ  ペルチェ素子
１２  制御装置
２０  ラバーヒータ
３０  温水循環用管
４０ａ  給気口
４０ｂ  排気口
【図１】
2014192990.tif 000003
【図２】
2014192990.tif 000004
【図３】
2014192990.tif 000005
【図４】
2014192990.tif 000006
【図５】
2014192990.tif 000007
【図６】
2014192990.tif 000008
【図７】
2014192990.tif 000009
【図８】
2014192990.tif 000010
【図９】
2014192990.tif 000011
【図１０】
2014192990.tif 000012
【図１１】
2014192990.tif 000013
【図１２】
2014192990.tif 000014
【図１３】
2014192990.tif 000015
【図１４】
2014192990.tif 000016
【図１５】
2014192990.tif 000017
【図１６】
2014192990.tif 000018